(57)【要約】【課題】第１に、蛍光ランプの局所的に高温となっている部分を冷却することにより、第２に、起立した姿勢の平板部に対峙して並列に配列された複数の蛍光ランプが上下で温度差が生じないようにすることにより、それぞれ蛍光ランプにおいて輝度ムラが生じないようにしたバックライト装置を提供する。【解決手段】このバックライト装置は、ケース２０に設けられた平板部２１に対峙する蛍光ランプ１，１…の中間部の側面が、ケース２０の平板部２１に取り付けられたランプホルダー１０に支持され、前記ランプホルダー１０には、突起状の係合部１３が設けられ、前記ケース２０の平板部２１には、前記ランプホルダー１０に設けられた係合部１３を任意の位置で取り付ける被係合部２２が設けられている。前記被係合部２２は、前記蛍光ランプ１，１…と対峙するように設けられた溝、直列に配列された複数の長孔、多数の連続した小孔その他の係合孔である。【選択図】図１
2008192440.tif 000002
【特許請求の範囲】
【請求項１】
ケースに設けられた平板部に対峙する蛍光ランプの中間部の側面が、ケースの平板部に取り付けられたランプホルダーに支持されているバックライト装置であって、
前記ランプホルダーには、係合部が設けられ、前記ケースの平板部には、前記ランプホルダーに設けられた係合部を任意の位置で取り付ける被係合部が設けられていることを特徴とするバックライト装置。
【請求項２】
前記被係合部は、前記蛍光ランプと対峙するように設けられた溝、直列に配列された複数の長孔、多数の連続した小孔その他の係合孔であることを特徴とする請求項１に記載のバックライト装置。
【請求項３】
前記蛍光ランプは、複数本が並列に配列され、前記ケースの平板部の各蛍光ランプと対峙している各部位に前記被係合部が設けられていることを特徴とする請求項１又は２に記載のバックライト装置。
【請求項４】
起立姿勢とされる平板部の下側に配置された蛍光ランプよりも上側に配置された蛍光ランプの方が多くのランプホルダーに支持されていることを特徴とする請求項３に記載のバックライト装置。
【発明の詳細な説明】
【技術分野】
【０００１】
本発明は、液晶パネルなどを背面から照明する蛍光ランプが備えられているバックライト装置に関し、詳しくは、蛍光ランプの中間部を支持するランプホルダーが備えられているバックライト装置に関する。
【背景技術】
【０００２】
液晶ディスプレイ装置に備えられた液晶パネルの背面には、バックライト装置が配置されている。バックライト装置は、複数の蛍光ランプがケースに設けられた平板部上に並列され、蛍光ランプと液晶パネルとの間に拡散板が配置されている。
【０００３】
近年においては、大画面の要請に応じて、液晶ディスプレイ装置も大型化され、これに伴って、蛍光ランプが長管化されている。また、液晶ディスプレイ装置の薄型化の要請に応じるため、蛍光ランプは細管化されている。したがって、起立した姿勢で使用される液晶ディスプレイ装置にあっては、長管化、細管化された蛍光ランプは、撓曲してしまう。すると、蛍光ランプは、輝度ムラを起こし、最悪の場合は破損する。
【０００４】
蛍光ランプが撓曲しないようにするため、蛍光ランプの中間部を支持するランプホルダー及びこのランプホルダーを備えたバックライト装置が特許文献１に開示されている。このバックライト装置は、図３に示すように、複数の蛍光管（蛍光ランプ）１，１…が反射板（平板部）２に対峙して並列に配列されている。各蛍光ランプ１は、両端部付近が支持部３，３によって平板部２に支持され、中間部がランプホルダー４によって支持されている。
【０００５】
ランプホルダー４には、図４に示すように、平板部２に固定するブッシング形状の係合突起４ａが設けられ、透明に形成されている。したがって、平板部２の中間には、ランプホルダー４の係合突起４ａが挿入される装着孔２ａが形成されている。このバックライト装置によれば、各蛍光ランプ１の中間部がランプホルダー４に支持されることによって、複数の蛍光ランプ１，１…配列の位置精度が確保され、また、ランプホルダー４が透明に形成されることにより、ランプホルダー４の影による輝度低下や輝度ムラが防止される。
【特許文献１】特開２００５−３３２８３１号公報
【発明の開示】
【発明が解決しようとする課題】
【０００６】
蛍光ランプ１は、全長にわたって不均一に発熱する、換言すれば、局所的に高温となる部分があるため、輝度ムラが生じる。局所的に高温となっている部分が特許文献１に開示されたランプホルダー４に当接すると、吸熱され、蛍光ランプ１は全長にわたって均一な温度となり、輝度ムラを解消することができる。
【０００７】
しかし、蛍光ランプ１が局所的に高温となる部分は、個々に異なり、またランプホルダー４は、係合突起４ａが平板部２の装着孔２ａに挿入されて位置決めされているため、ランプホルダー４が蛍光ランプ１の局所的に高温になっている部分に当接するとは限らない。したがって、特許文献１に開示されたランプホルダー４を備えたバックライト装置にあっては、ランプホルダー４が蛍光ランプ１の局所的に高温となっている部分に当接していない場合において、輝度ムラを解消することができない。
【０００８】
また、液晶ディスプレイ装置は、起立した姿勢で使用され、しかも複数の蛍光ランプ１，１…が並列されていることから、上側に配置された蛍光ランプ１，１…は、下側に配置された蛍光ランプ１，１…からの発熱によっても加熱される。しかし、特許文献１に開示されたバックライト装置は、上側の蛍光ランプ１，１…に当接するランプホルダー４も下側の蛍光ランプ１，１…に当接するランプホルダー４も１個であるため、このランプホルダー４は複数の蛍光ランプ１，１…の加熱状態に対応して吸熱することができない。したがって、特許文献１に開示されたバックライト装置にあっては、液晶パネルを上側と下側とで均等に照明することができない。
【０００９】
そこで、本発明は、第１に、蛍光ランプの局所的に高温となっている部分を冷却することにより、第２に、起立した姿勢の平板部に対峙して並列に配列された複数の蛍光ランプが上下で温度差が生じないようにすることにより、それぞれ蛍光ランプにおいて輝度ムラが生じないようにしたバックライト装置を提供することを課題とする。
【課題を解決するための手段】
【００１０】
本発明に係るバックライト装置は、ケースに設けられた平板部に対峙する蛍光ランプの中間部の側面が、ケースの平板部に取り付けられたランプホルダーに支持されているバックライト装置であって、前記ランプホルダーには、係合部が設けられ、前記ケースの平板部には、前記ランプホルダーに設けられた係合部を任意の位置で取り付ける被係合部が設けられていることを特徴としている。
【００１１】
このバックライト装置によれば、蛍光ランプの側面を支持するランプホルダーに係合部が設けられ、ケースの平板部に前記係合部を任意の位置で取り付ける被係合部が設けられていることにより、ランプホルダーの係合部をケースの平板部の任意の位置の被係合部に取り付けることができる。したがって、ランプホルダーは、蛍光ランプの局所的に高温となっている部分を支持するように、ケースの平板部に取り付けることにより、蛍光ランプが撓曲しないようにすることができるだけでなく、局所的に高温になっている熱を吸熱し、蛍光ランプを全長に割って均一な温度になるようにすることができる。
【００１２】
また、前記本発明に係るバックライト装置において、前記被係合部は、前記蛍光ランプと対峙するように設けられた溝、直列に配列された複数の長孔、多数の連続した孔その他の係合孔であることが好ましい。
【００１３】
このバックライト装置によれば、ケースの平板部に設けられる被係合部が蛍光ランプと対峙するように設けられた溝、直列に配列された長孔、多数の連続した小孔その他の係合孔とされることにより、ランプホルダーの係合部を被係合部に容易、かつ、確実に装着することができる。特に、被係合部が溝であると、ランプホルダーの係合部を溝内でスライドさせることにより、ランプホルダーをケースの平板部の任意の位置に取り付けることができる。また、被係合部が多数の連続した小孔であると、ランプホルダーの係合部は、任意の選択した小孔に係入することにより、ランプホルダーをケースの平板部の任意の位置に取り付けることができる。そして、被係合部が直列に配列された長孔であると、溝と多数の連続した小孔との中間のように使用して、ランプホルダーをケースの平板部の任意の位置に取り付けることができる。なお、被係合部は、ケースの平板部を貫通している係合孔であってもよし、貫通していない係合孔であってもよい。
【００１４】
また、前記本発明に係るバックライト装置において、前記蛍光ランプは、複数本が並列に配列され、前記ケースの平板部の各蛍光ランプと対峙している各部位に前記被係合部が設けられていてもよい。
【００１５】
このバックライト装置によれば、複数本の蛍光ランプが並列に配列される場合においても、各蛍光ランプと対峙するケースの平板部の各部位に前記被係合部が設けられることにより、蛍光ランプごとに、それぞれ高温となっている部分がランプホルダーに支持され、吸熱されるようにすることができる。
【００１６】
また、前記本発明に係るバックライト装置において、起立姿勢とされる平板部の下側に配置された蛍光ランプよりも上側に配置された蛍光ランプの方が多くのランプホルダーに支持されていることが好ましい。
【００１７】
このバックライト装置によれば、起立姿勢とされる平板部の下側に配置された蛍光ランプから発生する熱によって上側に配置された蛍光ランプが加熱されても、下側に配置された蛍光ランプよりも上側に配置された蛍光ランプの方が多くのランプホルダーに支持されていることにより、上側に配置された蛍光ランプが多くのランプホルダーに吸熱され、上側の蛍光ランプも下側の蛍光ランプも均一な温度になるようにすることができる。
【発明の効果】
【００１８】
本発明によれば、蛍光ランプを支持するランプホルダーがケースに設けられた平端部の任意の位置に取り付けられることにより、蛍光ランプはランプホルダーによって撓曲しないように支持されるだけでなく、局所的に高温となっている部分の熱を吸熱し、全長にわたって均一な温度とすることができる。また、複数本の蛍光ランプが並列に配列され、ケースの平板部が起立姿勢とされる場合において、上側の蛍光ランプを支持するランプホルダーの数が下側の蛍光ランプを支持するランプホルダーの数よりも多くされることにより、上側の蛍光ランプと下側の蛍光ランプとで温度が同じになるようにすることができる。したがって、本発明のバックライト装置に備えられた蛍光ランプは、輝度ムラが生じず、液晶パネルなどの被照明物を均一に照明し、液晶ディスプレイ装置などの画質を向上させることができる。
【発明を実施するための最良の形態】
【００１９】
本発明に係るバックライト装置の一実施形態について図１及び図２を参照しながら説明する。このバックライト装置は、例えば液晶ディスプレイ装置に備えられた液晶パネル（図示せず）の背面側に配置されるもので、図２に示すように、複数の蛍光ランプ１，１…やこの蛍光ランプ１，１…を並列に収納するケース２０などが備えられている。ケース２０には、複数の蛍光ランプ１，１…の光を液晶パネル側に反射させる平板部２１が設けられ、この平板部２１と平行に複数の蛍光ランプ１，１…が一定の間隔をもって配置されている。
【００２０】
各蛍光ランプ１は、両端部付近が支持部３，３によって平板部２１に支持され、中間部がランプホルダー１０によって支持されている。ランプホルダー１０は、蛍光ランプ１の中間部を支持するだけでなく、蛍光ランプ１で発生した熱を吸熱するもので、形状を特定するものでないが、少なくとも、液晶パネルの照明に障害のない形状とされ、例えば図１に示すように、台座部１１にＶ字形の切込み１２を入れた形状とすることができる。この切込み１２が蛍光ランプ１の中間部を支持するだけでも、蛍光ランプ１は、両端部付近が支持部３，３に支持されているため、平板部２１が起立姿勢とされても、蛍光ランプ１が落下することはない。ただし、ランプホルダー１０は、台座部１１がどのような形状であっても、基端側に係合部１３が設けられている。
【００２１】
一方、平板部２１には、ランプホルダー１０に設けられた係合部１３を任意の取り付ける被係合部２２が設けられている。したがって、被係合部２２は、蛍光ランプ１と対峙する位置に設けられている。この被係合部２２は、例えば、図１に示すように平板部２１を貫通した溝のような係合孔によって形成される。
【００２２】
この被係合部２２に取り付けられる係合部１３は、溝内に嵌め込まれる狭窄部１３ａと、平板部２１を台座部１１とによって挟むフランジ状の突出部１３ｂとを備え、ランプホルダー１０が溝内から抜脱することなく、狭窄部１３ａが溝内を任意の位置にスライドすることができるようにされている。また、狭窄部１３ａは、断面形状が四角形とされ、ランプホルダー１０が回転することがないため、ランプホルダー１０から蛍光ランプ１，１…に捩るような力が加えられることがない。
【００２３】
平板部２１に設けられる被係合部２２は、溝に限らず、蛍光ランプ１と対峙するように直列に配列された長孔や多数の連続した小孔（いずれも図示せず）などの平板部２１を貫通している係合孔としてもよい。被係合部２２が長孔の係合孔の場合は、ランプホルダー１０は、図１に示したような形状のものを使用することができる。被係合部２２が小孔の場合は、ランプホルダー１０の係合部１３は小孔に取り付けることができるような軸や膨出部などが設けられるが、ランプホルダー１０を回転させないようにする手段が備えられることが好ましい。
【００２４】
また、被係合部２２は、平板部２１を貫通していない溝、直列に配列された長孔、多数の連続した孔とされた係合孔としてもよい。この場合、係合部１３には、図示したような突出部１３ｂが設けられず、係合孔の形状に合致して密に嵌め込まれる突起部が設けられる。
【００２５】
いずれにしても、ランプホルダー１０は、蛍光ランプ１，１…が局所的に高温となる部分を支持する位置に取り付けられる。すなわち、ランプホルダー１０の被係合部２２が平板部２１の溝あるいは長孔内をスライドし、又は複数の小孔から任意に選択され、平板部２１の被係合部２２に取り付けられる。
【００２６】
このようなランプホルダー１０は、１本の蛍光ランプ１，１…に対して、１個だけでなく、２個以上支持するようにすることもできる。したがって、起立した姿勢において使用される液晶ディスプレイ装置においては、上側に配置された蛍光ランプ１，１…が下側に配置された蛍光ランプ１，１…からの熱によっても加熱されることから、図２に示すように、上側に配置された蛍光ランプ１，１…を支持するランプホルダー１０は、下側に配置された蛍光ランプ１，１…を支持するランプホルダー１０よりも多くすることが好ましい。なお、図２に示したランプホルダー１０の取付位置は、一例であって、これに限定するものでないことはいうまでもない。
【００２７】
このような、バックライト装置にあっては、蛍光ランプ１，１…から発生する熱が局所的に高温になっても、その高温の部分がランプホルダー１０に支持され、吸熱されることにより、蛍光ランプ１は全長にわたって均一な温度分布となる。また、起立姿勢の平板部２１に対峙して複数の蛍光ランプ１，１…が並列に配列されている場合においても、各蛍光ランプ１，１…の温度が一定となるようにすることができる。したがって、このバックライト装置は、各蛍光ランプ１においても、また複数の蛍光ランプ１，１…管においても、輝度が一定となり、液晶パネルを均等に照明することができる。
【００２８】
なお、本発明は、前記の実施形態に限定されることなく、特許請求の範囲に記載した発明特定事項の範囲内において種々変更することができる。例えば、蛍光ランプ１は、１本の場合であっても実施することができる。また、被係合部２２が平板部２１を貫通した係合孔である場合において、ランプホルダー１０の係合部１３は、突出部１３ｂに替え、ネジ（図示せず）によって構成してもよい。この場合は、ネジの頭部が平板部２１を押圧する。したがって、被係合部２２が溝や長孔であっても、ランプホルダー１０が平板部２１に移動しないように取り付けられる。また、ランプホルダー１０の係合部と平板部２１の被係合部２２とは、着脱自在の接着剤によって貼着してもよい。さらに、本発明に係るバックライト装置は、液晶パネルの照明に限定することなく、種々の被照明物を照明することができる。
【産業上の利用可能性】
【００２９】
本発明に係るバックライト装置は、特に大型の液晶パネルを供えた液晶ディスプレイ装置において有効に利用することができる。
【図面の簡単な説明】
【００３０】
【図１】本発明に係るバックライト装置の一実施形態を示す要部拡大斜視図
【図２】本発明に係るバックライト装置の一実施形態を示す正面図
【図３】従来のバックライト装置の正面図
【図４】従来のバックライト装置の要部拡大側面図
【符号の説明】
【００３１】
１  蛍光ランプ
１０  ランプホルダー
１３  係合部
２０  ケース
２１  平板部
２２  被係合部
【図１】
2008192440.tif 000003
【図２】
2008192440.tif 000004
【図３】
2008192440.tif 000005
【図４】
2008192440.tif 000006